【事件の表示】
　国際登録第１０７２１３２号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＳＵＩＴＥ　３４１」の欧文字を書してなり、第１４類「Ｐｒｅｃｉｏｕｓ　ｍｅｔａｌｓ　ａｎｄ　ｔｈｅｉｒ　ａｌｌｏｙｓ　ａｎｄ　ｇｏｏｄｓ　ｉｎ　ｐｒｅｃｉｏｕｓ　ｍｅｔａｌｓ　ｏｒ　ｃｏａｔｅｄ　ｔｈｅｒｅｗｉｔｈ　ｎｏｔ　ｉｎｃｌｕｄｅｄ　ｉｎ　ｏｔｈｅｒ　ｃｌａｓｓｅｓ，ｎａｍｅｌｙ　ｗｏｒｋｓ　ｏｆ　ａｒｔ　ｏｆ　ｐｒｅｃｉｏｕｓ　ｍｅｔａｌ，ｂｏｘｅｓ　ｏｆ　ｐｒｅｃｉｏｕｓ　ｍｅｔａｌ，ｆｉｇｕｒｉｎｅｓ　（ｓｔａｔｕｅｔｔｅｓ　ｏｆ　ｐｒｅｃｉｏｕｓ　ｍｅｔａｌ），ｎｏｖｅｌｔｙ　ｋｅｙ　ｒｉｎｇｓ　ｍａｄｅ　ｏｆ　ｐｒｅｃｉｏｕｓ　ｍｅｔａｌ；ｊｅｗｅｌｒｙ，ｐｒｅｃｉｏｕｓ　ｓｔｏｎｅｓ；ｔｉｍｅｐｉｅｃｅｓ　ａｎｄ　ｃｈｒｏｎｏｍｅｔｒｉｃ　ｉｎｓｔｒｕｍｅｎｔｓ．」、第１８類「Ｌｅａｔｈｅｒ　ａｎｄ　ｉｍｉｔａｔｉｏｎ　ｌｅａｔｈｅｒ；ｈａｎｄｂａｇｓ；ｂａｇｓ　ｆｏｒ　ｆｏｒ　ｃａｒｒｙｉｎｇ　ｉｎｆａｎｔｓ，ｄｏｃｕｍｅｎｔｓ，ｓｈｏｐｐｉｎｇ，ｔｒａｖｅｌ　ｉｔｅｍｓ；ｂａｇｓ　ｗｉｔｈ　ｈａｎｄｌｅｓ；ｓｈｏｕｌｄｅｒ　ｂａｇｓ；ｂａｇｓ　ｗｏｒｎ　ａｔ　ｔｈｅ　ｗａｉｓｔ　（ｗａｉｓｔ　ｐｏｕｃｈｅｓ）；ｗｒｉｓｔ　ｂａｇｓ；ｐｏｕｃｈｅｓ　（ｈａｎｄｂａｇｓ）；ｅｖｅｎｉｎｇ　ｂａｇｓ；ｂａｃｋｐａｃｋｓ；ｓｈｏｐｐｉｎｇ　ｂａｇｓ；ｃａｒｒｙｉｎｇ　ｂａｇｓ；ｗｈｅｅｌｅｄ　ｂａｇｓ；ｇａｒｍｅｎｔ　ｂａｇｓ　ｆｏｒ　ｔｒａｖｅｌ；ｔｒａｖｅｌ　ｓｅｔｓ　（ｌｅａｔｈｅｒ　ｇｏｏｄｓ）；ｖａｎｉｔｙ　ｃａｓｅｓ；ｓｕｉｔ　ｂａｇｓ；ｔｒａｖｅｌ　ｂａｇｓ；ｂｅａｃｈ　ｂａｇｓ；ｇｙｍ　ｂａｇｓ；ｓｐｏｒｔｓ　ｂａｇｓ；ｂａｇｓ　ｆｏｒ　ｃｌｉｍｂｅｒｓ；ｂａｇｓ　ｆｏｒ　ｃａｍｐｅｒｓ；ｓｃｈｏｏｌ　ｓａｔｃｈｅｌｓ；ｓｃｈｏｏｌ　ｂａｇｓ；ｂｒｉｅｆｃａｓｅｓ；ｗａｌｌｅｔｓ；ｃｈａｎｇｅ　ｐｕｒｓｅｓ；ｔｒｕｎｋｓ　ａｎｄ　ｓｕｉｔｃａｓｅｓ；ｕｍｂｒｅｌｌａｓ；ｐａｒａｓｏｌｓ；ｌｅａｓｈｅｓ；ｗｈｉｐｓ．」及び第２５類「Ｃｌｏｔｈｉｎｇ　ｐａｒｔｉｃｕｌａｒｌｙ，ｌｉｎｇｅｒｉｅ，ｕｎｄｅｒｃｌｏｔｈｉｎｇ，ｓｈｉｒｔｓ，ｔｅｅ−ｓｈｉｒｔｓ，ｓｗｅａｔｓｈｉｒｔｓ，ｂｌｏｕｓｅｓ，ｐｕｌｌｏｖｅｒｓ，ｓｌａｃｋｓ，ｓｋｉｒｔｓ，ｄｒｅｓｓｅｓ，Ｂｅｒｍｕｄａ　ｓｈｏｒｔｓ，ｓｈｏｒｔｓ，ｓｏｃｋｓ，ｓｔｏｃｋｉｎｇｓ，ｔｉｇｈｔｓ，ｂｅｌｔｓ，ｎｅｃｋｔｉｅｓ，ｓｔｏｌｅｓ　ａｎｄ　ｓｃａｒｖｅｓ，ｊａｃｋｅｔｓ，ｃｏａｔｓ，ａｎｏｒａｋｓ，ｒａｉｎｃｏａｔｓ，ｐａｒｋａｓ；ｓｈｏｅｓ，ｓｌｉｐｐｅｒｓ，ｂｏｏｔｉｅｓ，ｂｏｏｔｓ；ｈｅａｄｇｅａｒ　ｐａｒｔｉｃｕｌａｒｌｙ　ｈａｔｓ，ｃａｐｓ，ｂｏｎｎｅｔｓ　ａｎｄ　ｂｅｒｅｔｓ．」を指定商品として、２０１０年９月９日にＦｒａｎｃｅにおいてした商標登録出願に基づいてパリ条約第４条による優先権を主張し、２０１１年（平成２３年）２月２４日に国際商標登録出願されたものである。
２　引用商標
　原査定において、本願の拒絶の理由に引用した登録商標は、以下のとおりであって、現に有効に存続しているものである。なお、これらの引用商標をまとめていうときは、以下「引用各商標」という。
　（１）登録第２１０４４５７号商標（以下「引用商標１」という。）
　商標の構成：「スイート」
　登録出願日：昭和６１年８月４日
　設定登録日：平成元年１月２３日
　指定商品　：第２８類に属する商標登録原簿記載の指定商品（別掲１）
　（２）登録第３２５４２７９号商標（以下「引用商標２」という。）
　商標の構成：「スイート」と「ＳＵＩＴＥ」の文字を上下二段に表示
　登録出願日：平成６年３月１０日
　設定登録日：平成９年１月３１日
　指定商品　：第２０類に属する商標登録原簿記載の指定商品（別掲２）
　（３）登録第４３５９００３号商標（以下「引用商標３」という。）
　商標の構成：「ＳＷＥＥＴ」
　登録出願日：平成１１年３月２９日
　設定登録日：平成１２年２月４日
　指定商品　：第１４類に属する商標登録原簿記載の指定商品（別掲３）
　（４）登録第４３５９００４号商標（以下「引用商標４」という。）
　商標の構成：「ＳＷＥＥＴ」
　登録出願日：平成１１年３月２９日
　設定登録日：平成１２年２月４日
　指定商品　：第１８類に属する商標登録原簿記載の指定商品（別掲４）
　（５）登録第４３６６９４８号商標（以下「引用商標５」という。）
　商標の構成：「ＳＷＥＥＴ」
　登録出願日：平成１１年３月２９日
　設定登録日：平成１２年３月１０日
　指定商品　：第３類に属する商標登録原簿記載の指定商品（別掲５）
　（６）登録第４３７９８９３号商標（以下「引用商標６」という。）
　商標の構成：「ＳＷＥＥＴ」
　登録出願日：平成１１年３月２９日
　設定登録日：平成１２年４月２８日
　指定商品　：第２１類に属する商標登録原簿記載の指定商品（別掲６）
　（７）登録第４３７９８９４商標（以下「引用商標７」という。）
　商標の構成：「ＳＷＥＥＴ」
　登録出願日：平成１１年３月２９日
　設定登録日：平成１２年４月２８日
　指定商品　：第２６類に属する商標登録原簿記載の指定商品（別掲７）
　（８）登録第４３７９８９５号商標（以下「引用商標８」という。）
　商標の構成：「ＳＷＥＥＴ」
　登録出願日：平成１１年３月２９日
　設定登録日：平成１２年４月２８日
　指定商品　：第３４類に属する商標登録原簿記載の指定商品（別掲８）
　（９）登録第４３８４９３２号商標（以下「引用商標９」という。）
　商標の構成：「ＳＷＥＥＴ」
　登録出願日：平成１１年３月２９日
　設定登録日：平成１２年５月１９日
　指定商品　：第８類に属する商標登録原簿記載の指定商品（別掲９）
　（１０）登録第４５６１０４３号商標（以下「引用商標１０」という。）
　商標の構成：「ＳＷＥＥＴ」
　登録出願日：平成１３年６月１３日
　設定登録日：平成１４年４月１９日
　指定商品　：第２５類に属する商標登録原簿記載の指定商品（別掲１０）
　（１１）登録第５０１０８５０号商標（以下「引用商標１１」という。）
　商標の構成：「ＳＵＩＴＯ」と「水都」の文字を上下二段に表示
　登録出願日：平成１８年６月８日
　設定登録日：平成１８年１２月１５日
　指定商品　：第２１類に属する商標登録原簿記載の指定商品（別掲１１）
　（１２）登録第５０３５８９５号商標（以下「引用商標１２」という。）
　商標の構成：「ＳＵＩＴＥ」
　登録出願日：平成１８年７月３日
　設定登録日：平成１９年３月３０日
　指定商品　：第６類、第１１類、第１９類及び第２０類に属する商標登録原簿記載の指定商品（別掲１２）
　（１３）登録第５０４４３２６号商標（以下「引用商標１３」という。）
　商標の構成：「ＳＵＩＴＥ」
　登録出願日：平成１８年７月１１日
　設定登録日：平成１９年４月２７日
　指定商品　：第１１類に属する商標登録原簿記載の指定商品（別掲１３）
　（１４）登録第５０７２９２５号商標（以下「引用商標１４」という。）
　商標の構成：「ＳＷＩＴ」
　登録出願日：平成１７年１月２４日（分割出願における遡及日）
　設定登録日：平成１９年８月２４日
　指定商品　：第１１類に属する商標登録原簿記載の指定商品（別掲１４）
　（１５）登録第５２７７３３１号商標（以下「引用商標１５」という。）
　商標の構成：「ｓｗｅｅｔ」
　登録出願日：平成２１年２月１３日
　設定登録日：平成２１年１０月３０日
　指定商品　：第２１類に属する商標登録原簿記載の指定商品（別掲１５）
　（１６）国際登録第９２８５７９号商標（以下「引用商標１６」という。）
　商標の構成：「ＬＡ　ＳＵＩＴＥ　ＭＩＬＡＮＯ」
　登録出願日：２００７年（平成１９年）３月２７日
　設定登録日：平成２１年１月３０日
　指定商品　：第１８類及び第２５類に属する商標登録原簿記載の指定商品（別掲１６）
３　当審の判断
　本願商標は、前記１のとおり、「ＳＵＩＴＥ　３４１」の欧文字及び数字よりなるところ、これを構成する各文字及び数字は、同じ書体及びほぼ等間隔をもって、視覚上まとまりよく一体的に表されているものであり、構成全体から生ずると認められる「スイートサンヨンイチ」又は「スイートスリーフォーワン」の称呼もよどみなく一連に称呼できるものである。
　そして、欧文字と３桁の数字を結合し、まとまりよく一体的に表された構成からなる本願商標は、その数字部分が記号、符号として看取されるというよりは、むしろ、構成全体が一体不可分の造語として理解されるとみるのが相当である。
　その他、当該数字部分を省略して、「ＳＵＩＴＥ」の文字部分のみに着目して取引にあたらなければならない格段の事由も見いだせないことから、本願商標に接する取引者、需要者は、その構成全体をもって一体不可分のものと認識、把握し、本願商標の構成文字全体に相応して「スイートサンヨンイチ」又は「スイートスリーフォーワン」の称呼をもって取引に当たるというのが自然である。
　そうすると、本願商標は、その構成文字全体に相応した「スイートサンヨンイチ」又は「スイートスリーフォーワン」の一連の称呼のみを生ずるものといわなければならない。
　したがって、本願商標より「スイーツ」又は「スイート」の称呼を生じるとした上で、本願商標と引用各商標が称呼上類似するものとして、商標法第４条第１項第１１号に該当するとした原査定は、取消しを免れない。
　その他、政令で定める期間内に本願について拒絶の理由を発見しない。
　よって、結論のとおり審決する。